(57)【要約】      （修正有）【課題】水の昇温の熱源にアーク放電の熱を利用し、水を直接、暖めることにより、安価で地球に優しいアーク加熱による水中昇温方法および装置を開発・提供する。【解決手段】アーク発生タンク１を設け、該タンク内に水Ｘを入れると共に、タンク内にアーク発生装置５を設け、該装置を発熱させることにより、アーク加熱によりタンク１内の水Ｘを昇温させることを特徴とするアーク加熱による水中昇温方法および装置。【選択図】図１
2015048997.tif 000002
【特許請求の範囲】
【請求項１】
アーク発生タンクを設け、該タンク内に水を入れると共に、タンク内にアーク発生装置を設け、該装置を発熱させることにより、アーク加熱によりタンク内の水を昇温させることを特徴とするアーク加熱による水中昇温方法。
【請求項２】
円筒状のアーク発生タンクを設け、該タンクの下部であって、該タンク内部の外周接線方向に向けて流入口を設け、該タンクの上部には流出口を設け、タンク内の底部あるいは天板部にアーク発生装置を設け、該装置のアーク加熱によりタンク内の水を昇温させることを特徴とするアーク加熱による水中昇温装置。
【請求項３】
円筒状のアーク発生タンクを設け、該タンク内を密閉構造とし、該タンク内部の下部であって、該タンクの外周接線方向に向けてに流入口を設け、該タンクの上部には、前面に自動的に開閉装置を有する流出口を設けると共に、該タンクには圧力計、安全弁、温度計を設け、且つ、タンク内には、アーク発生装置を設け、該装置のアーク加熱によりタンク内の水を昇温させることを特徴とするアーク加熱による水中昇温装置。
【請求項４】
前記アーク発生タンク内に設けたアーク発生装置は、該タンク本体の中央底面部に凹部に２００Ｖ三相用の各接続端子版をそれぞれ設け、これらの各接続端子版には、複数の電極棒を植設し、各接続端子版はそれぞれ上部か、下部の電極棒がそれぞれ接触しない空隙部を形成し、これらの接続端子版の位置する凹部は絶縁体素材で密封することを特徴とする請求項２または３記載のアーク加熱による水中昇温装置。
【請求項５】
前記アーク発生タンク内に設けたアーク発生装置を構成する電極棒は、無垢の電極棒、あるいは穴を有する筒体内に設けた電極棒から選ばれたものであることを特徴とする請求項２または３または４記載のアーク加熱による水中昇温装置。
【発明の詳細な説明】
【技術分野】
【０００１】
この発明は、アーク加熱による水中昇温方法および装置であり、特に、熱源に高温アークを用いる水中昇温方法および装置に関するものである。
【背景技術】
【０００２】
従来、水を昇温させる手段としては、薪釜、ボイラー、シーズヒーター等を用い、容器の外部に位置する熱源で内部の水を間接的に暖めて昇温している。
【０００３】
また、その熱源として、木、ガス、灯油、重油を燃料に用いており、木材や化石燃料等を燃焼することにより二酸化炭素を発生させ地球温暖化の問題となるものであり、さらには天然資源の枯渇となるという問題もあった。
【０００４】
そこで、この本願発明者は、アーク放電の熱を利用して水の昇温を図ることを発明したものである。
【０００５】
このアーク放電の熱を利用する技術は、宇宙往還機の熱防護材の研究開発や大気圏再突入の状態を模擬した試験をするアーク加熱風洞において使用されている。
【０００６】
また、アーク式の取鍋加熱装置は存在する。即ち，取鍋とは、耐火容器を用いて溶けた金属を運搬し、鋳型に溶けた金属を流し込む注湯の工程を経て製品を取り出すという鋳造工場においては使用されていた。
【０００７】
しかしながら、水中で直接電極棒から発生させたアーク発生により水の分子が互いにぶつかり合い熱を発生させて水を昇温させる，即ち，水中でアーク加熱により昇温させる方法および装置は存在していなかった。
【発明の概要】
【発明が解決しようとする課題】
【０００８】
そこでこの発明は、水の昇温の熱源にアーク放電の熱を利用し、水を直接、暖めることにより、安価で地球に優しいアーク加熱による水中昇温方法および装置を開発・提供するものである。
【課題を解決するための手段】
【０００９】
そして、この発明は、アーク発生タンク内に水を入れて、水中に設けたアーク発生装置によりアーク放電を利用する電気加熱して、水中にて直接、熱源を発生させる，天蓋部、あるいは底面部に設ける三相交流電源を用いて、複数の炭素棒からなるアーク発生装置を設け、該装置のアーク放電の熱を利用する電気加熱であり、水中にて直接に熱源を発生させ、そもそも、アーク加熱は、２本の炭素棒の端を接触させることにより強い電流を通しながら少し離すと陽極は約３５００°Ｃ、陰極では２８００°Ｃに熱せられるものであり、このアーク発生装置のアーク加熱による水中昇温方法および装置を開発・提供しようとするものである。
【発明の効果】
【００１０】
この発明によると、アーク発生タンク内で、水中に設けたアーク発生装置によりアーク加熱して直接水温を昇温させることにより、極めて有益なる効果を奏する。
【００１１】
また、アーク発生タンクの底部付近に設けた流入口は、該タンクの中心軸に向けた軸線より外れた角度に形成されることにより、水は円筒状のタンクの内周に沿って流入され、また、該タンクの上部付近に流出口（３）に向け旋回して上昇するため、ムラなく昇温が可能となるとの効果を奏する。
【００１２】
さらに、容器本体を加圧構造とすることにより、昇温時間を早めることが出来る等の効果を奏する。
【図面の簡単な説明】
【００１３】
【図１】この発明の一実施例を示す断面図である。
【図２】この発明の一実施例を示す平面図である。
【図３】この発明の他の実施例を示す断面図である。
【図４】図１中Ｑ−Ｑ断面を示す拡大断面図である。
【図５】この発明に使用するアーク発生装置の接続端子版ｒ−ｒの拡大断面図である。
【図６】この発明に使用するアーク発生装置の接続端子版ｓ−ｓの拡大断面図である。
【図７】この発明に使用するアーク発生装置の接続端子版ｔ−ｔの拡大断面図である。
【発明を実施するための形態】
【００１４】
以下、この発明の好適な実施の形態として詳細に説明する。尚、この発明においては、以下の記述に限定されるものではなく、この発明の要旨を逸脱しない範囲においては適宜変更可能である。
【実施例】
【００１５】
先ず、この発明のうち、方法の発明の一実施例を図面に基づいて説明すると、アーク発生タンク（１）を設け、該タンク（１）内に水を入れると共に、該タンク（１）内にアーク発生装置（５）を設け、該装置（５）を発熱させることにより、アーク加熱によりタンク（１）内の水（Ｘ）を昇温させることを特徴とするアーク加熱による水中昇温方法から構成されるものである。
【００１６】
次に、この発明のうち、装置の発明の一実施例を図面に基づいて説明すると、円筒状のアーク発生タンク（１）を設け、該タンクの下部であって、該タンク内部の外周接線方向に向けて流入口（２）を設け、該タンク（１）の上部には流出口（３）を設け、タンク（１）内の底部（４）あるいは天板部（１ａ）にアーク発生装置（５）を設け、該装置のアーク加熱によりタンク内の水（Ｘ）を昇温させることを特徴とするアーク加熱による水中昇温装置から構成されるものである。
【００１７】
尚、この実施例に示すアーク発生タンク（１）は、開放型タンクとし、有底の円筒状体でありタンク内のアーク発生装置（５）への供給水は、ラインポンプ（図示しない）若しくは水中ポンプ（図示しない）を用いて送水するが、加圧はしないものである。
【００１８】
さらに、この発明のうち、装置の発明の他の実施例を図面に基づいて説明すると、円筒状のアーク発生タンク（１）を設け、該タンク内を密閉構造とし、該タンク（１）内部の下部であって、該タンク（１）の外周接線方向に向けてに流入口（２）を設け、該タンクの上部には、前面に自動的に開閉装置を有する流出口（３）を設けると共に、該タンク（１）には圧力計（６）、安全弁（７）、温度計（８）を設け、且つ、タンク（１）内には、アーク発生装置（５）を設け、該装置（５）のアーク加熱によりタンク内の水（Ｘ）を昇温させることを特徴とするアーク加熱による水中昇温装置から構成されるものである。  
【００１９】
尚、この実施例に示すアーク発生タンク（１）は、加圧型タンク構造とし、該タンク（１）本体が耐圧加工されたものであり、供給水（Ｘ）を加圧ポンプ（図示しない）で送水し加圧昇温させて電動油圧ジャッキ（15）にて開放弁（11）を開き送水する。一連の動作は温度と圧力を自動制御して定期的に送水するものであり、省エネタイプの機種である。  
【００２０】
尚、開放弁（11）は、アーク発生タンク（１）と流出口（３）との途中に設けており、その構造は、図１に示すようにＴ字管（12）の一方にスプリング（13）で加圧されたものであり、該Ｔ字管（12）の先端付近の管内壁はテーパ状に形成され、該テーパ状の管となっており、開放弁（11）の先端部は該管（14）に適合した截頭円錐状に形成されている。  
【００２１】
そして、Ｔ字管（12）の先端テーパ部と開放弁（11）の先端部とは、常時、密着しており、アーク発生タンク（１）方向にのみ移動可能となっている。
【００２２】
また、開放時には、開放弁（11）の軸（11ａ）に当接して設けた電動油圧ジャッキ（15）を作動させ、前記開放弁（11）をアーク発生タンク（１）方向に押圧することにより、水を流出口（３）に流出させるものである。そして、一連の動作は、温度と圧力を自動制御して定期的に送水するよう構成された省エネタイプである。
【００２３】
さらに、前記アーク発生タンク（１）内に設けたアーク発生装置（５）は、該タンク（１）本体の中央底面部（４）に凹部（Ｙ）を形成し、該凹部（Ｙ）に２００Ｖ三相用に接続する各接続端子版（Ｒ，Ｓ，Ｔ）をそれぞれ３枚設け、これらの各接続端子版には、複数の電極棒（９）を植設し、各接続端子版はそれぞれ、上部か、下部の電極棒（９）がそれぞれ接触しない空隙部（Ｚ，Ｚ′Ｚ″）を形成し、これらの接続端子版の位置する凹部（Ｙ）はシリコン等の絶縁体素材（10）で密封するよう構成されている。さらに、接続端子版（Ｒ，Ｓ，Ｔ）の端部には、それぞれ電線との接続用の各端子穴（Ｃ）も一体に形成している。
【００２４】
また、アーク発生タンク（１）内に設けたアーク発生装置（５）は、実施例では該タンクの底部に設けたものを示したが、これに限ることなく、アーク発生タンク（１）の天板（１ａ）に形成してもよいものである。
【００２５】
さらに、前記電極棒（９）は、無垢の炭素棒、ステンレス棒、あるいは、穴（９ｂ）を有するステンレスパイプ棟の筒体（９ａ）内に収納された電極棒（９′）であってもよく、から選ばれたものであるアーク加熱による水中昇温装置である。
【００２６】
また、前記アーク発生タンク（１）の底部付近に設けた流入口（２）は、タンク（１）の中心軸（Ａ）に向けた軸線（Ｂ）より外れた角度（α）に形成されることにより、水（Ｘ）は円筒状のタンクの内周に沿って流入され、また、該タンク（１）の上部付近に流出口（３）を設けており旋回して上昇するため、ムラなく昇温が可能となるものである。
【００２７】
下記の表１に示すように、水温１６°Ｃの水（Ｘ）をアーク発生タンク（１）に７８リットル流入してアーク発生装置（５）を稼働させたところ、１時間後には水温５５°Ｃとなった。また、貯湯槽に水温１８°Ｃの水（Ｘ）をアーク発生タンク（１）に１，０００リットル流入してアーク発生装置（５）を稼働させたところ、１時間後には上部で水温５２°Ｃ、下部で４９°Ｃとなった。
【００２８】
【表１】
2015048997.tif 000003
【００２９】
また、電力積算計の目盛りは、１１０７．０（Ｋｗｈ）を示し、電流は１０４．００アンペアを示し、使用電気量は、２７Ｋｗｈであり、平均単価は３５６．４円であった。
【産業上の利用可能性】
【００３０】
この発明によると、アーク加熱による水中昇温方法および装置の技術を確立し、これに基づいて大量に製造・販売することにより産業上の利用可能性がある。
【符号の説明】
【００３１】
１  アーク発生タンク
２  流入口
３  流出口
４  底部
５  アーク発生装置
６  圧力計
７  安全弁
８  温度計
９  電極棒
９ａ  筒体
９ｂ  穴
10  絶縁体素材
11  開放弁
11ａ  軸
12  Ｔ字管
13  スプリング
14  先端部
15  電動油圧ジャッキ
Ａ  中心軸
Ｂ  中心軸に向けた軸線
Ｃ  端子穴
Ｒ，Ｓ，Ｔ  接続端子版
Ｘ  水
Ｙ  凹部
Ｚ  空隙部
α  角度
【図１】
2015048997.tif 000004
【図２】
2015048997.tif 000005
【図３】
2015048997.tif 000006
【図４】
2015048997.tif 000007
【図５】
2015048997.tif 000008
【図６】
2015048997.tif 000009
【図７】
2015048997.tif 000010
【手続補正書】
【提出日】平成25年9月3日(2013.9.3)
【手続補正１】
【補正対象書類名】明細書
【補正対象項目名】００２５
【補正方法】変更
【補正の内容】
【００２５】
さらに、前記電極棒（９）は、無垢の炭素棒、ステンレス棒、あるいは、穴（９ｂ）を有するステンレスパイプ棟の筒体（９ａ）内に収納された電極棒（９′）であってもよく、から選ばれたものであるアーク加熱による水中昇温装置である。尚、（16）は、各電極棒（９）が接触しないように嵌められた電極棒接触防止板である。
【手続補正２】
【補正対象書類名】明細書
【補正対象項目名】００３１
【補正方法】変更
【補正の内容】
【００３１】
１  アーク発生タンク
２  流入口
３  流出口
４  底部
５  アーク発生装置
６  圧力計
７  安全弁
８  温度計
９  電極棒
９ａ  筒体
９ｂ  穴
10  絶縁体素材
11  開放弁
11ａ  軸
12  Ｔ字管
13  スプリング
14  先端部
15  電動油圧ジャッキ
16  電極棒接触防止板
Ａ  中心軸
Ｂ  中心軸に向けた軸線
Ｃ  端子穴
Ｒ，Ｓ，Ｔ  接続端子版
Ｘ  水
Ｙ  凹部
Ｚ  空隙部
α  角度
【手続補正３】
【補正対象書類名】図面
【補正対象項目名】図１
【補正方法】変更
【補正の内容】
【図１】
2015048997.tif 000011
【手続補正４】
【補正対象書類名】図面
【補正対象項目名】図３
【補正方法】変更
【補正の内容】
【図３】
2015048997.tif 000012
【手続補正書】
【提出日】平成26年7月16日(2014.7.16)
【手続補正１】
【補正対象書類名】明細書
【補正対象項目名】００２５
【補正方法】変更
【補正の内容】
【００２５】
さらに、前記電極棒（９）は、無垢の炭素棒、ステンレス棒、あるいは、穴（９ｂ）を有するステンレスパイプ等の筒体（９ａ）内に収納された電極棒（９′）から選ばれたものであるアーク加熱による水中昇温装置である。
【手続補正２】
【補正対象書類名】明細書
【補正対象項目名】００３１
【補正方法】変更
【補正の内容】
【００３１】
１  アーク発生タンク
２  流入口
３  流出口
４  底部
５  アーク発生装置
６  圧力計
７  安全弁
８  温度計
９  電極棒
９ａ  筒体
９ｂ  穴
10  絶縁体素材
11  開放弁
11ａ  軸
12  Ｔ字管
13  スプリング
14  先端部
15  電動油圧ジャッキ
Ａ  中心軸
Ｂ  中心軸に向けた軸線
Ｃ  端子穴
Ｒ，Ｓ，Ｔ  接続端子板
Ｘ  水
Ｙ  凹部
Ｚ  空隙部
α  角度
【手続補正３】
【補正対象書類名】特許請求の範囲
【補正対象項目名】請求項１
【補正方法】変更
【補正の内容】
【請求項１】
アーク発生タンクを設け、該タンク内に水を入れるアーク加熱による水中昇温方法において、タンク内の水に直接アーク発生装置を設け、該装置を発熱させることにより、アーク加熱によりタンク内の水を昇温させることを特徴とするアーク加熱による水中昇温方法。
【手続補正４】
【補正対象書類名】特許請求の範囲
【補正対象項目名】請求項２
【補正方法】変更
【補正の内容】
【請求項２】
アーク発生タンクを設け、該タンク内に水を入れるアーク加熱による水中昇温装置において、円筒状のアーク発生タンクを設け、該タンク内を密閉構造とし、該タンク内部の下部であって、該タンクの外周接線方向に向けて流入口を設け、該タンクの上部には流出口を設け、タンク内の底部あるいは天板部にアーク発生装置を設け、該装置のアーク加熱によりタンク内の水を昇温させることを特徴とするアーク加熱による水中昇温装置。
【手続補正５】
【補正対象書類名】特許請求の範囲
【補正対象項目名】請求項３
【補正方法】変更
【補正の内容】
【請求項３】
アーク発生タンクを設け、該タンク内に水を入れるアーク加熱による水中昇温装置において、円筒状のアーク発生タンクを設け、該タンク内を密閉構造とし、該タンク内部の下部であって、該タンクの外周接線方向に向けて流入口を設け、該タンクの上部には流出口を設けると共に、該タンクには圧力計、安全弁、温度計を設け、且つ、タンク内には、アーク発生装置を設け、該装置のアーク加熱によりタンク内の水を昇温させることを特徴とする請求項２記載のアーク加熱による水中昇温装置。
【手続補正６】
【補正対象書類名】図面
【補正対象項目名】図１
【補正方法】変更
【補正の内容】
【図１】
2015048997.tif 000013
【手続補正７】
【補正対象書類名】図面
【補正対象項目名】図３
【補正方法】変更
【補正の内容】
【図３】
2015048997.tif 000014